(57)【要約】【課題】使用者を検知することによって、所定長さのタオル材料を自動的に供給する、電子式ハンズフリーディスペンサを提供する。【解決手段】タオル材料のロールから所定長さのシートを供給するためのハンズフリータオルディスペンサであり、少なくとも１つのタオル材料のロールを内部に保持するための内部容積を有するハウジングを含む。ハウジング内部に収容された電子駆動式の供給機構の作動によりタオル材料のロールから所定長さのシートを供給する。ハウジング内部に収容されたセンサにより検出範囲内に置かれた物体を検出する。制御回路はセンサ及び供給機構と共に構成され、センサによる物体の検出により供給サイクルを始動させる。物体がハウジング下方の所定の位置に必ず置かれるように、検出範囲が実質的にハウジング底面の下方に画定されるよう、センサはハウジングに対して配置される。【選択図】図１
2008521549.tif 000002
【特許請求の範囲】
【請求項１】
繊維材料のロールから所定長さのシートを供給するためのハンズフリータオルディスペンサであって、
内部に少なくとも１つのタオル材料のロールを保持するための内部容積を有するハウジングと、
前記ハウジング内部に備えられ、作動させることによって前記繊維材料のロールから所定長さのシートを供給する、電子的に駆動される供給機構と、
前記ハウジング内部に備えられ、検出範囲内に置かれた物体を検出するためのセンサと、
前記センサ及び前記供給機構と共に構成され、前記センサによる物体の検出によって、供給サイクルを始動させるような制御回路とを含み、
前記センサによって検出されるべく、物体を前記ハウジング下方の所定の位置に必ず置くように、前記検出範囲が実質的に前記ハウジングの底面の下方に画定されるよう、前記センサが前記ハウジングに対して配置されるようにすることを特徴とするディスペンサ。
【請求項２】
前記センサは、少なくとも１つのアクティブトランスミッタ及びレシーバを含み、前記トランスミッタは、前記ハウジング内部に配置され、前記ハウジング下方の前記検出範囲を画定するアクティブ信号を送信するように適合されることを特徴とする請求項１に記載のディスペンサ。
【請求項３】
前記センサは、ＩＲセンサの両側に配置される、２つのＩＲトランスミッタの組合わせを含むことを特徴とする請求項２に記載のディスペンサ。
【請求項４】
前記アクティブトランスミッタは、所定の角度をもって前記ハウジング内部に配置され、前記アクティブ信号の検知軸線が、前記ハウジングの後方へ向かって傾斜されるようにすることを特徴とする請求項２に記載のディスペンサ。
【請求項５】
前記検知軸線は、垂直方向に対して略１５度の角度をもっていることを特徴とする請求項４に記載のディスペンサ。
【請求項６】
前記アクティブトランスミッタは、略４０度の送信コーンを有することを特徴とする請求項４又は５に記載のディスペンサ。
【請求項７】
前記送信コーンの前方部分は、前記ハウジングの最前部の垂直面を越えて、前方方向に延びないことを特徴とする請求項４乃至６のいずれかに記載のディスペンサ。
【請求項８】
前記アクティブトランスミッタは、調整可能な強度設定を含み、最大の強度設定及び範囲にて、前記送信コーンは、前記垂直面まで及ばないことを特徴とする請求項７に記載のディスペンサ。
【請求項９】
前記アクティブトランスミッタは、前方方向にてシールドされ、前記送信コーンの前方部分が、前記送信コーンの後方部分と比較して小さくなるようにすることを特徴とする請求項７に記載のディスペンサ。
【請求項１０】
前記アクティブトランスミッタは、調整可能な強度設定を含み、最大の強度設定及び範囲にて、前記送信コーンは、前記垂直面まで及ばないことを特徴とする請求項２又は９に記載のディスペンサ。
【請求項１１】
前記ハウジングは、その下部に供給スロートを備え、前記供給スロートを介して前記繊維材料は供給され、
前記センサは、少なくとも１つのアクティブトランスミッタ及びレシーバを含み、前記ハウジング下方の前記検出範囲を画定するアクティブ信号を所定の送信範囲に送信するように、前記ハウジング内部に、前記供給スロートに近接して適合されることを特徴とする請求項１に記載のディスペンサ。
【請求項１２】
周辺光検出器を更に含み、前記周辺光検出器は前記制御回路と共に構成され、前記ディスペンサが配置された場所から所定の範囲内で周辺光の閾値を検出した場合、供給サイクルを作動させることを特徴とする請求項１に記載のディスペンサ。
【請求項１３】
前記周辺光検出器のための手動で作動させるバイパス手段を更に含み、前記ディスペンサは、周辺光のレベルに関係なく動作するように設定可能であり、前記周辺光検出器は、前記ハウジングの側面に対して方向付けられた検出軸線を有することを特徴とする請求項１２のディスペンサ。
【請求項１４】
前記ディスペンサの複数の動作パラメータを調整するための、複数の、使用者入力スイッチと、前記パラメータの調整の度合いを使用者に知らせる表示装置とを更に含むことを特徴とする請求項１に記載のディスペンサ。
【請求項１５】
前記動作パラメータは、ディスペンサのシートの長さ、前記センサの感度、供給サイクル間の遅延時間又は手動の紙供給の、様々な組合わせを含み、前記表示装置は、少なくとも１つのライトを備え、前記ライトの特性が、異なる調整の設定を表示するために用いられることを特徴とする請求項１４に記載のディスペンサ。
【請求項１６】
電子式ハンズフリーペーパタオルディスペンサを作動させるための方法であって、
自動ハンズフリー供給サイクルを始動させるため、使用者が、手又はその他の物体を、前記ディスペンサのハウジングの下方、かつ後方近くに必ず置くように、物体センサの検出範囲を、実質的に完全に前記ディスペンサのハウジングの底面の下方、かつ前記ハウジングの前方部の後方に画定する過程を含むことを特徴とする方法。
【発明の詳細な説明】
【技術分野】
【０００１】
本発明は、一般にロールから所定長さのタオル材料を供給するためのディスペンサの分野に関し、更に詳しくは、使用者を検知することによって、所定長さのタオル材料を自動的に供給する、「ハンズフリー」の電子式ディスペンサに関している。
【背景技術】
【０００２】
電子式タオルディスペンサは、当技術分野で周知のように、使用者の存在を検知して、所定長さのタオル材料を自動的に供給するディスペンサを含む。このタイプのディスペンサは、「ハンズフリー」ディスペンサとして当技術分野においては周知であり、供給サイクルを起動するため、使用者が手動でディスペンサを作動させる必要がない又は別の方法でディスペンサを操作する必要がない。従来のハンズフリーディスペンサの制御システム及び機械的特徴は、幅広く、様々である。
【０００３】
例えば、米国特許第５，７７２，２９１号は、複数の光電池によって駆動される電子式ハンズフリータオルディスペンサを開示している。そのディスペンサは、フォトセンサを用いて、ハウジングのフロントカバーを介して使用者の存在を検出する。フォトセンサ及び関連する制御回路は、使用者を検出すると、所定長さのタオルを供給するべくモータを起動する。フォトセンサは、室内の周辺光強度の変化に反応する。人が、突起物、例えば、手をディスペンサの前面の所定の距離（検出範囲）内に入れると、フォトセンサに到達する周辺光の量が十分に減少し、フォトセンサ及び制御回路が「検出」を認識し、供給サイクルを起動させる。
【０００４】
米国特許第６，４１９，１３６号は、間隔をあけてミシン目又は破断線がつけられた連続ロール紙から、個々のタオル片を供給するための電子式ディスペンサを開示している。ミシン目のつけられた繊維材料を使用することによって、使用者がハウジングから延在する所定長さの材料を保持し、ミシン目に沿ってシートを破ることによって、個々のシートが分離され得る。切断装置が不要であり、モータは供給ローラを回転させるだけなので、エネルギが節約される。制御回路は、マイクロプロセッサと結合した近接センサを含み、使用者の手が検出されたとき、駆動モータを起動させる。近接センサは、ディスペンサのハウジングのフロントカバーを介して「見る」ように配置される。
【０００５】
米国特許第６，４１２，６５５号は、ディスペンサのハウジングの前面に容量センサを用いるＡＣ電源駆動のタオルディスペンサを開示している。センサは、カバー内のセンサ範囲後方に配置された電極を含み、カバーはハウジングの全幅を覆って良い。電極は、待機状態において所定の容量を有する誘電体を備える。ディスペンサのハウジングの前面に使用者が手をおくことによって、誘電体に変化が生じた場合、容量に変化が生じ、供給シーケンスを始動させる。
【０００６】
米国特許第５，４５２，８３２号は、フォトセルを用いた検出器がオン−オフスイッチを作動させ、所定の期間、駆動モータに電力を供給し、所定長さのペーパタオルを供給することを特徴とする自動ペーパタオルディスペンサを開示している。フォトセルは、ディスペンサのハウジングの側面に配置される。
【０００７】
従って、当該技術は、従来のハンズフリータオルディスペンサを改良する方法が絶えず望まれている。本発明は、そのような改良に関している。
【発明の開示】
【課題を解決するための手段】
【０００８】
本発明の目的及び利点の一部を以下の記載により明らかにするが、それらは記載から容易に思い至るものや、発明の実施により見出されるものもある。
【０００９】
電子式ハンズフリータオルディスペンサは、画定された検出範囲内に物体が置かれたことを検出すると、タオル（繊維）材料の所定長さのシートを自動的に供給するように提供される。ディスペンサは、バッテリ駆動、ＡＣ駆動（適切な変圧器及びアダプタと共に）、又はバッテリ駆動及びＡＣ駆動の切替ができるものであり得る。ディスペンサは、内部に少なくとも１つのタオル材料のロールを保持するような内部容積を有するハウジングを含む。特定の実施態様において、ハウジングは第１の予備ロール及び消費されるスタブロールを保持するように構成される。ハウジングは、様々な所望の及び見た目の良い配置を取って良く、背面部材及び着脱可能なカバー部材を含んで良い。カバー部材は、背面部材に対してヒンジで動作するように取り付けられることもでき、ディスペンサの内部容積及び構成要素にアクセスすることを提供する。
【００１０】
ディスペンサは、ハウジング内部に備えられた電子的に駆動される供給機構を含み、検出範囲内にて有効な物体を検出すると、タオル材料のロールから所定長さのシートを自動的に供給する。電子的に駆動される供給機構の様々な構成は、当技術分野において周知であり、それらは本発明のディスペンサと共に使用するために構成され得る。特定の実施態様において、独立したシャーシ又はモジュールがハウジングに収容される。モジュールはその中に取り付けられた供給機構を有している。供給機構は、駆動ローラ及び関連する構成要素、加圧ローラアセンブリ及び切断バーを含んで良い。加圧ローラアセンブリは、駆動ローラに対してバネで付勢された加圧ロールを含み、タオル材料は、加圧ロール及び駆動ローラの間を通過する。タオル材料のための開口がモジュール内に画定され、ハウジングの供給用の開口と整合する。
【００１１】
ディスペンサが、タオル材料をスタブロールから供給し、続いて予備又は「メイン」ロールから供給することを特徴とする実施態様において、シャーシは、メインロールホルダ及びスタブロールホルダを含んで良く、モジュール内部の所定の位置に各ロールを回転可能に支持し、供給が妨げられないようにする。自動搬送機構は、スタブロールが略完全に消費されると、タオル材料の供給をスタブロールからメインロールに移すように備えられる。
【００１２】
ロールサイズゲージが、モジュールに配置されることもでき、メインロールが、スタブロールの位置に移動するのに十分な量まで消費されると、そのことをサービス又は保守要員に知らせる。このゲージは、メインロールの外周面に対して付勢される部材であっても良く、繊維材料が消費されることにより縮小するメインロールの直径を検知する。消費されたメインロールの直径が所定の直径に達すると、そのゲージは、ＬＥＤを点灯させる又はその他の表示器を起動させるスイッチを作動させて良く、メインロールが消費され、交換すべきであることを表す。また、表示器は機械的なタイプのものであっても良く、例えば、メインロールの直径が十分に縮小すると現れるような旗がある。
【００１３】
供給機構は、所定長さの繊維材料又は繊維材料のシートを供給する。それは様々な手段によって達成されて良く、例えば、所定の期間の後、駆動ローラを停止させるタイミング回路がある。特定の実施態様において、駆動ローラの回転数を計測する回転カウンタが備えられ、制御回路と連動して、規定回数のローラの回転後に駆動ローラのモータを停止させる。このカウンタは、光学エンコーダを用いるタイプの装置又は機械的な装置であり得る。制御回路は、保守要員が、回転カウンタの設定を増加又は減少することにより、シート長さの調整を可能にする装置を含む。
【００１４】
駆動機構は、モジュールに取り付けられた駆動モータ及びギアアセンブリを含んで良く、ギアアセンブリは、駆動力をモータから駆動ローラに伝達する。繊維材料は、駆動ローラ及び加圧ローラの間に画定される隙間を通過し、駆動ローラの回転は、材料を、ハウジングの供給スロートを介して外に出るように進ませる。切断バーがスロート内に配置され、使用者は材料のシートを保持し、切断バーと交差させるように引張ることで、シートを切り離すことができる。別の実施態様において、自動切断装置が備えられることもでき、材料のシートを自動的に切断する。
【００１５】
センサは、ディスペンサ底面の下方の検出範囲に置かれた物体を検出するように備えられる。このセンサは、パッシブセンサであって良く、周囲条件の変化、例えば、周辺光の変化、検出範囲内の物体により生じる容量の変化等を検出する。別の実施態様において、センサはアクティブデバイスであり、トランスミッタ及び関連するレシーバ、例えば、１つ又は複数のＩＲトランスミッタ及びＩＲレシーバを含む。トランスミッタは、検出範囲に相当する送信コーンにアクティブ信号を送信し、レシーバは、検出範囲内に置かれた物体から反射されたアクティブ信号の閾値を検出する。制御回路がセンサと共に構成され、レシーバからの有効な検出信号によって供給サイクルを始動させる。
【００１６】
センサは、検出範囲が実質的にハウジングの底面の下方に画定されるように、ハウジングに対して配置され、物体が、検出のため、ハウジング下方の所定の位置に必ず配置されるようにする。この方法では、ディスペンサは、ディスペンサの前を通過する物体、例えば、人が公衆トイレのディスペンサの前を通過する又は立ち止まることによって、誤って始動されることがない。アクティブトランスミッタを用いる実施態様において、トランスミッタは、送信コーンの検知軸線がハウジングの後方に向けられるように斜めに配置されることもできる。例えば、トランスミッタ（及び各レシーバ）は、供給スロートに配置されることもでき、ハウジングの下方及び後方を「見る」ようにする。一実施態様において、検知軸線は、垂直方向に対して略１５度の角度でハウジングの後方に向けられて良く、トランスミッタは、略４０度（検知軸線の両側に２０度）以下の送信コーンを有して良い。トランスミッタは、最大感度設定であっても、アクティブ信号の有効な送信コーンが、ハウジングの最前部の垂直面を越えて前方に延びないように配置され得る。送信コーンの一部は、供給スロートの構造によってシールドされて良く、検出範囲の最前部の検知地点を更に制限する。
【００１７】
センサの検出領域（即ち、範囲）が調整可能であることが望ましいことがあり得る。これに関して、調整スイッチが提供されて良く、保守要員がトランスミッタ及びレシーバの感度を変化させる、例えば、トランスミッタに供給する電力を変化する又はレシーバの閾値を調整することによって、検出範囲を調整できるようにする。
【００１８】
繊維材料のシートが供給されても取除かれない場合、次の供給サイクルを起動させないようにするための装置を伴うディスペンサを提供することが望ましいこともあり得る。独立した「垂れたシート」の検出器が、この目的のために備えられ、制御回路と一体化することもできる。しかし、本発明に基づく一構成において、検出センサがこの目的も果たすように構成されることもでき、それによって、ディスペンサ及び制御回路のコストを削減し、複雑さを軽減する。例えば、センサは、供給スロート内の所定の位置に配置された上述したようなアクティブトランスミッタを含んで良く、材料のシートがスロートから垂れたままの場合、シートは検出範囲へのアクティブ信号の送信を本質的に遮断する。繊維材料自身は、有効な検出信号を生成するほどには、レシーバに対して信号を十分に反射しない。従って、垂れたシートが取除かれるまで、検出範囲内に物体が置かれても、その物体が次の供給サイクルを起動させることはない。
【００１９】
ディスペンサが配置された場所から所定の範囲内で周辺光の閾値が検出されない限り、供給サイクルを起動させないような、制御回路と一体になった周辺光検出器を備えるディスペンサが望ましいこともあり得る。例えば、ディスペンサが公共施設に配置される場合、施設を閉める及び暗くするとき、制御回路を停止することが望ましいことがあり得る。周辺光検出器はハウジング内に配置され、公共施設における周辺光条件の通常及び予想される「正面の」変化に対して本質的に保護される。例えば、特定の実施態様において、検出器は回路ハウジングの側面に取り付けられ、ディスペンサカバーの側面の開口を介して外を見る。この方法では、ディスペンサの前面に比較的近づいて存在する人又は物体が、ディスペンサを誤って動作停止させることはない。バイパススイッチが提供されることもでき、保守要員は周辺光検出機能を無効にできる。これは、周辺光の条件を変化し得ることを特徴とするディスペンサの動作環境に必要であり得る。
【００２０】
上述したとおり、ディスペンサの１つ又は複数の動作パラメータが調整されることもでき、この目的のための手入力スイッチが備えられることもできる。表示器が備えられることもでき、保守要員が、どのパラメータをどれくらい調整したか容易に判断できるようにする。特定の実施態様において、表示器は１つ又は複数のライト、例えば、ＬＥＤライトであり得る。そのライトの特性、例えば、色又はパターンは、様々な調整の設定を表示するために使用される。
【００２１】
本発明は、図面にて表されているような特定の実施態様を参照することによって、より詳細について以下に説明される。
【発明を実施するための最良の形態】
【００２２】
本発明の実施態様は、図面にて表される１つ又は複数の実施例を参照して、詳細な説明が行われる。各実施例は本発明の説明をするために提供されるものであり、本発明をこれらの実施例に制限することを意味するものではない。例えば、一実施態様の一部として図示又は説明される特徴は、別の実施態様で使用されることがあり、更なる実施態様を生じることもある。本発明は、ここで説明される実施態様に対する様々な変更及び変化が含まれる。
【００２３】
図１乃至４を特に参照すると、本発明に基づくディスペンサ１０の実施態様を図示している。ディスペンサ１０は、様々な所望の形状及び構造のハウジング１６を含む。ハウジング１６は、側壁２０及びカバー２２を備えるベース１８を含み、カバー２２はベース１８にピボット可能に取り付けられ、図１に示される閉じた位置から図２に示される開いた位置まで動作可能である。カバー２２は、前壁２３及び側壁２７を含み、ベース１８の側壁２０と整合し、ディスペンサ１０の作動部品に加えて、供給される繊維材料のロールを、メインロール１２及びスタブロール１４を含めて収容するための内部容積を画定する。窓１９は、カバーの側壁２７の１つ又は両方の面に備えられることがあり、保守技術者はメインロール１２の繊維材料の残量を容易に視覚的に計測し得る。右側の側壁２７（ディスペンサ１０に対向して）は開口２６を備え、保守要員がカバー２２を開くことなく、その開口より表示板１１２を見られるようにする。開口２６は、透明なレンズ（図示なし）が取り付けられることがあり、モジュール２８へのアクセスを防止しながら、外部から表示板１１２を見ることができるようにする。表示板１１２の詳細は後述する。従来の様々なロック機構２１（図２）が、カバー２２をベース１８に固定するために提供されて良い。ハウジング１６は底面２５を含み、材料はそこから供給される。図７を参照すると、供給経路４８の終端部にて、ハウジング１６のスロート２４に供給用の開口が備えられており、その詳細については後述する。
【００２４】
ディスペンサ１０は、特定の形式又は構造、又はディスペンサを形成するために結合する部品の特定の組合せに制限されないことを理解されたい。
【００２５】
ディスペンサ１０の作動部品は、ハウジング１６が画定する内部容積の中で、ベース１８に直接取り付けられることもできる。図１及び２で図示されているような所望の実施態様において、供給モジュール２８はハウジング１６内に配置され、作動部品はモジュール２８内に取り付けられる。ディスペンサ１０全体を、その支持面（即ち、壁）から取り外す必要なく、部品を点検及び／又は交換するため、モジュール２８はベース１８から容易に着脱し得る。ハウジング１６は貝殻状の容器と見なすこともでき、図３のモジュール２８は、その中への挿入及びその中からの取り外しが行われる。モジュール２８は、左及び右側板３４を有するフレーム又はシャーシ３２を含む。モジュール２８内部において側板３４の間に、供給機構３０の構成要素が取り付けられ、その構成要素は、加圧ローラアセンブリ４０、搬送機構５２、スロートアセンブリ５０及び、駆動モータ及びギアアセンブリ９８（図４）を含んでおり、詳細については後述する。
【００２６】
左及び右メインロールホルダ７６は、図４で示されるようにモジュールの側板３４に取り付けられ、シート材料のメインロール１２を保持する。スタブロールホルダ７８は、モジュール内部においてメインロール１２の下方、かつ後方の所定の位置に、スタブロール１４を回転可能に支持するように備えられる。
【００２７】
図３乃至６Ｂを特に参照すると、加圧ローラアセンブリ４０は、スロートアセンブリ５０に収容され得る、即ち、モジュール２８内部に順に取り付けられる。スロートアセンブリ５０はフレーム４２を含み、モジュール内部の所定の位置に固定される、又は繊維材料の新しいロールの装填をしやすくするようにモジュール２８にピボット可能に取り付けられることもできる。アセンブリ４０は、戻り止め又はその他の適切な固定装置を用いて、閉じた状態の位置で保持される。スロートアセンブリ５０は、特に図６Ｂに示されているように、フレーム４２に取り付けられた切断バー４４を含む。切断バー４４は、図７に示されているように、供給経路４８に沿って、供給開口２４の上流側、かつ駆動ローラ３８及び加圧ローラ４６の間の隙間の下流側に配置される。ディスペンサ１０から供給された繊維材料のシート２００を切り離すため、使用者はハウジング１６の下方に垂れたシート２００を保持し、切断バー４４に対して前方にシートを引張り、切断バーによって画定される線に沿ってシートを裂いて切り離す。
【００２８】
図４及び６Ａに示されているように、加圧ローラ４６は、スロット４７に配置される軸端部を有する。スロット４７の中のバネ４５は、加圧ローラ４６を駆動ローラ３８に寄せるように付勢し、ローラの間の隙間を通過する繊維材料は、駆動ローラ３８の回転によって供給経路４８に沿って前進させられる。スロートアセンブリ５０は、図７に示されているように、供給経路の一部及び供給スロート２４の前方部分を画定する。
【００２９】
モジュール２８は、自動搬送機構５２を含み、スタブロール１４の繊維材料が略完全に消費されると、繊維材料の供給をスタブロール１４からメインロール１２に移す。操作上の観点からすると、この搬送機構５２は２０００年６月２７日に登録された米国特許第６，０７９，３０５号に実質的に開示されており、あらゆる面に於いてここに言及したことで本願の一部とする。図３及び４を特に参照すると、搬送機構５２はモジュールの側板３４にピボット可能に取り付けられたアーム５７を備える搬送バー５６を含む。ギア６８は、図３及び４で特に示されるように、アーム５７の端部に備えられる。搬送バー５６は、リブが付けられた中央の曲面状の部分５８によって画定され得る「ローラ」部を含む。その部分５８は、かえし（ｂａｒｂ）６０のような固定機構を含む。材料がスタブロール１４から供給される間、メインロール１２の繊維材料の先端はローラ部５８を通過し、返し６０によって保持される。遊動搬送ギア７０は、モジュールの側板３４に回転可能に取り付けられ、搬送バーのアーム５７の端部でギア６８と係合する。スタブロールの検知バー７４は、スタブロールホルダ７８の下方に、モジュールの側板３４にピボット可能に取り付けられ、スタブロールホルダ７８の軸線に向かって付勢され、スタブロールが消費されることにより減少する直径を監視する。スタブロールの検知バー７４は、ギア７２が備えられており、検知バー７４のピボット動作によって回転し、遊動ギア７０と係合する。
【００３０】
スタブロールが消費されると、検知バー７４の動作がギア６８、７０及び７２を経由して搬送バー５６に伝達される。スタブロール１４が所定の直径まで減少すると、搬送バー５６は、固定機構６０によって保持された繊維材料の先端が、ローラ部５８によって引き出され、スタブロールから供給される繊維材料と接触するように回転し、メインロールの材料の先端が、かえし６０から引き出され、スタブロールの材料と共に駆動ローラ３８及び加圧ローラ４６の間の隙間を搬送されるようにする。メインロール１２の「新しい」繊維材料は、スタブロールが完全に消費されるまで、スタブロールの材料と共に同時に供給される。ディスペンサにスタブロールがない場合、搬送バー５６及びローラ部５８は、メインロール１２から供給される繊維材料と接触する。
【００３１】
「燃料計」バー８０は、アーム８１を用いて側板３４にピボット可能に取り付けられ、メインロール１２の中心に向かってバネにより付勢され、繊維材料が消費されることにより減少するメインロール１２の直径を監視する。メインロール１２の直径が、そのロールをスタブロールの位置に移動するのに適切な直径に達すると、アーム８１の１つの端部にある、つめ（ｐａｗｌ）（図示なし）で制御回路のスイッチを閉じるようにし、表示板１１２のＬＥＤ１４２を点灯させる（カバーの側面の開口２６を介して見える）。このような方法で、保守要員はメインロール１２が消費され、交換すべきであることを知らされる。
【００３２】
駆動モータ及びギアアセンブリ９８は、モジュール２８に取り付けられた部品を含む。電気駆動モータ１００は、図７に示されるように、駆動ローラ３８の下方、かつ後方の空間に収容される。そのモータは、駆動シャフト及びそれに取り付けられた駆動ギア（図示なし）を含む。駆動ギアは、モジュール２８の左手側の側板３４に近接して存在し、側板３４に取り付けられた遊動駆動ギア１０４と係合する（図４を参照されたい）。遊動ギア１０４は、駆動ローラ３８の端部に取り付けられた駆動ローラギア１０６と係合する。従って、モータ１００に電圧を印加すると、駆動ローラ３８は、シャフト駆動ギア、遊動ギア１０４及び駆動ローラギア１０６を経て回転するようになる。駆動ローラの回転は、加圧ローラ４６及び駆動ローラ３８の間の隙間に配置された繊維材料を、搬送経路４８に沿って搬送し、供給スロート２４から供給する。
【００３３】
供給機構３０は、バッテリボックス８２に収容されたバッテリによって電圧が印加され得る。それはスタブロールホルダ７６の後方にあるバッテリウェル８４に配置される（図３及び４を参照されたい）。様々な適切なバッテリ格納装置が、この目的のために使用されて良い。伝導体８５がバッテリウェル８４の下方に配置され、バッテリボックス８２の底面の接点と接合し、バッテリから基板１１０及びモータ１００に電力を供給する。または、バッテリ電源の追加に加えて、ディスペンサは、建物の交流配電システムによって電圧が印加されることもできる。この目的のため、変圧器用の差し込み式モジュール／アダプタがディスペンサに備えられても良く、回路用ハウジング１０８（図３に表示）の底面に配置された端子又は電源ジャックポートに接続し、制御回路及び関連する構成要素に電力を供給する。制御回路は、機械的又は電気的スイッチを含んで良く、ＡＣアダプタを接続するとバッテリ回路を遮断し、バッテリを保護し、バッテリが消耗しないようにする。
【００３４】
回転カウンタ機構が、供給される繊維材料の長さを制御するために備えられる。複数の光学的又は機械的装置が、この目的のために使用されて良い。図示された実施態様において、光学エンコーダが駆動ローラ３８の回転数を数えるために使用され、この回転数は、供給されるシートの所望の長さを測るべく制御回路によって使用される。図４及び５を特に参照すると、光学反射ホイール９０が駆動ローラ３８の軸端部に備えられている。ホイール９０は、モジュール２８の側板３４の外側にあり、駆動ローラ３８の回転により回転する複数の反射タブを含む。光学センサ９２、例えば、フォトセル（図９に図式的に表示）は、基板１１０のホイールと対向する面に取り付けられ、駆動ローラ３８の回転により、ホイール９０の反射タブから生成される光パルスを検出する。パルスの数は、駆動ローラ３８の既知の直径に基づき、供給機構３０を介して搬送されるシート材料の長さを示す。例えば、１．５インチの直径をもつ駆動ローラ３８は、直線にして４．７１インチの外周を有し、各タブ（４つのタブが使用される場合）は、４分の１回転を表し、それは直線にして１．７８インチに等しい。略１２インチのシート長さが必要な場合、駆動ローラ３８は１０パルス分回転される、即ち、２．５回転し、シート長さ１１．７８インチとなる。
【００３５】
フロントカバー２２が開いている場合、例えば、ディスペンサを保守又は再装着する場合、制御回路を無効にする又はディスペンサを作動させないことが望ましいことがあり得る。様々な種類の機械的又は光学的位置センサ及びスイッチが、この目的のために使用されて良い。図４及び５は、バネで付勢される機械的センサが使用され得ることを図示している。そのセンサは、バネ９６によりモジュールの側板３４の前縁を越えて外側に付勢された突起９４を含む。カバー２２が開いた位置にある場合、突起９４は図５に示されるように延在し、制御回路の対応する保護スイッチは開放され、供給機構３０の動作を無効にする。カバー２２が閉じられると、突起９４はカバー２２と係合することによって押し込まれ、供給シーケンスが可能となるようにスイッチは閉じられる。この機能を達成するため、数多くの検出器及び関連する回路、及び数多くのそれらの配置が使用され得ることを理解されたい。
【００３６】
制御回路の構成要素は基板１１０に取り付けられ、モジュール２８の右側側板３４に取り付けられた回路用ハウジング１０８に収容される。その回路の詳細は後述する。例えば、図２乃至４に示されるように、各種の調整用押しボタン１４８、１５０及び１５２が基板１１０に取り付けられ、回路用ハウジング１０８の外側から使用できる。これらの押しボタンは、基板の各スイッチと結合し、様々なパラメータの調整、例えば、シート長さ、供給サイクル間の遅延時間及び起動センサの感度を制御するために使用される。
【００３７】
追加の押しボタン１４６が、回路用ハウジング１０８の前面縁部に備えられ、手動のペーパ供給オプションとして機能する。ボタン１４６が押され続ける限り、供給機構３０は作動し、材料を供給する。
【００３８】
押しボタン１４８、１５０及び１５２は、１つ又は複数のＬＥＤ、例えば、回路用ハウジング１０８にあるＬＥＤ１４２と関連付けられる。ＬＥＤ１４２は、カバーの側壁２７の開口２６を介して見られる。各ボタン１４８、１５０及び１５２は、短い、中間及び長い、の各機能のための３つの設定を有し、ＬＥＤ１４２は各設定を表示するために使用される。様々な特性のライトの組合わせが、表示のために使用され得る。例えば、ＬＥＤは複数の色であることもでき、各設定を表示するために異なる色が使用される。または、ＬＥＤが異なる設定を表示するために、特殊なフラッシュパターンを有しても良い。多数の表示がこの目的のために使用され得る。
【００３９】
また、回路用ハウジング１０８に収容され、カバーの側壁２７の開口２６を介して見える、バッテリ残量低下ＬＥＤインジケータ１４４がある。ＬＥＤ１４４は、バッテリの電圧が所定の値より低くなると起動される。装置を保護するため、ＬＥＤの上に透明レンズが備えられても良い。
【００４０】
メインロール１２の材料を最初に供給する作業中、カバー２２はベース１８から離れるように前方にピボットされる。これによりカバーセンサ９４が制御スイッチを起動して、制御回路を停止させ、装着作業中の機構の誤作動を防止する。加圧ローラアセンブリ４０がモジュール２８にピボット可能に取り付けられることを特徴とする実施態様では、アセンブリ４０は固定位置から外されて、前方にピボットされ、メインロール１２の繊維材料を容易に装填するための開口を提供する。メインロール１２の材料の先端が、駆動ローラ３８に配置されると、加圧ローラアセンブリ４０は閉じられ、その固定位置に固定される。それによって、材料は、加圧ローラ４６及び駆動ローラ３８の間の隙間に保持される。加圧ローラアセンブリ４０が、モジュール２８に対して固定的に取り付けられることを特徴とする実施態様では、メインロール１２の材料の先端は、駆動ローラ３８及び加圧ローラ４６の間の隙間を単に通過する。カバー２２が閉じられると、カバーセンサ９４は、関連する制御スイッチを閉じ、回路を起動させる。
【００４１】
供給機構３０が起動されると（動作は後述する）、駆動ローラ３８は、モータ１００及び各ギアアセンブリ（シャフトギア及び、ギア１０４及び１０６）によって駆動され、加圧ローラ４６及び駆動ローラ３８の間の繊維材料を、供給経路４８に沿って搬送し、供給スロート２４から供給する。スタブロールがなければ、ローラ部５８は、供給されるシート材料に接触する。
【００４２】
燃料計バー８０及び関連するＬＥＤ１４２により、メインロール１２がスタブロールのサイズに達したと判断されると、メインロール１２は、繊維材料の先端が加圧ローラ４６及び駆動ローラ３８の間に残った状態で、スタブロールホルダ７８に移動されることもできる。スタブロールは、付勢された検知バー７４の上方に、検知バー７４と接触して配置される。新しいメインロール１２の材料の先端は、搬送バー５６及びローラ部５８の下方を通過し、返し６０によって固定される。スタブロール１４が消費されると、検知バー７４はピボットし、ギア７２、７０及び６８を経由して搬送機構５２をピボットさせ、搬送バー５６を駆動ローラ３８に近づけるようにする。スタブロールの材料が略消費されると、新しいメインロール１２の先端は、スタブロール１４から供給されるシート材料と接触するように、搬送バー５６のローラ部５８によって移動させられ、その材料の先端が返し６０から引き出され、加圧ローラ４６及び駆動ローラ３８の間のスタブロール１４の材料と共に搬送される。メインロール１２の「新しい」繊維材料は、スタブロール１４が完全に消費されるまで、スタブロールの材料と共に同時に供給される。
【００４３】
ディスペンサ１０は、ディスペンサの底面２５下方の検出範囲１３４（図７）に置かれた物体を検出するためのセンサを含む。上述したように、このセンサはアクティブセンサ又はパッシブセンサであり得る。検出範囲１３４内で物体を検出すると、制御回路が供給サイクルを始動させる。図示された実施態様では、センサはアクティブ赤外線（ＩＲ）センサであり、検出範囲１３４にＩＲビームを放出するためのアクティブトランスミッタ１２２及び検出範囲１３４の物体から反射されるＩＲ光線を検出するためのレシーバ１２４を使用する。反射光線の量が十分である場合（検出閾値より大きい）、制御回路は供給サイクルを始動させ、モータ１００は、所定数のパルスが光学エンコーダ（駆動ローラの回転カウンタ）により検出されるまで駆動ローラ３８を駆動し、正しい長さの材料が供給される。その後、使用者は供給されたシートを保持し、そのシートを切り離すべく切断バー４４に対して前方に引っ張る。
【００４４】
図６乃至８を特に参照すると、アクティブＩＲトランスミッタ１２２及びレシーバ１２４は、センサ基板１２６に取り付けられる。基板１２６は、図６Ａ及び６Ｂに特に示されるように、スロートアセンブリ５０の内側中央の基板用ハウジング１３０内部に画定される基板用スロット１２８に挿入される。開口１３１は、ハウジング１３０内に画定され、その開口を介してトランスミッタ１２２はアクティブ信号を送信する。開口１３２は、レシーバ１２４用にハウジング１３０に備えられる。トランスミッタ１２２及びレシーバ１２４は、基板１１０と電気的に通信し、トランスミッタ１２２は、制御回路、特にマイクロプロセッサ１６０（図９）によって決定されるパルス速度にて連続して送信する。詳細は後述する。
【００４５】
図７及び８は、スロートアセンブリ５０内部のＩＲトランスミッタ１２２の位置及び角度方向を図示している。トランスミッタ１２２は、ハウジング１３０内部に、供給スロート２４の前方（前面）の壁に近接して取り付けられ、垂直方向に対して１５度の角度をもってディスペンサの後方に向けられている（角度付けられている）。トランスミッタ１２２は、４０度（トランスミッタの軸線Ａの両側に各２０度）の比較的狭い送信コーンを有する。その角度方向及び送信コーンは、強度０％の線Ｄ１及びＤ２の間の有効な検出範囲が、平面Ｂ又はＣより前方に延びず、トランスミッタの有効範囲（感度）を最大にするように作られている。平面Ｂは、ディスペンサのフロントカバー２２の一番奥（後部に向かって）の構成要素の垂直面に相当し、平面Ｃは、使用者から見えるフロントカバー２２の垂直面に相当する（１３ページを参照されたい）。図８の平面Ｅは、カバー２２の最も前にある部分に相当する垂直面である。この構造によると、使用者は自分の手又はその他の物体を、「検出され」、供給サイクルを始動させるため、ハウジング１６の下方、かつ後方近くに必ず置くようにする。
【００４６】
図７を参照すると、追加のシールド構造１３６が提供されることがあり、例えば、ハウジング１３０又はスロートアセンブリ５０のフレーム４２を画定する構造であり、トランスミッタ１２２の送信コーンの前方部分を更に制限する。例えば、シールド１３６は、送信コーンの前方部分の少なくとも５度を取除いて良い。つまり、送信コーンの前方部分は、トランスミッタの軸線Ａに対して１５度ぐらいの大きさとなる。この取除かれたコーン部は、図７の線Ｄ３によって表される。この追加のシールドは、トランスミッタ１２２が最大出力（最大感度）であっても、検出範囲が平面Ｃ又はＢを「越える」ことがない（即ち、平面Ｃ又はＢより前に延びない）。
【００４７】
材料のシートが供給されても取除かれない場合、次の供給サイクルを起動させない機能をもつディスペンサ１０を提供することが望ましいこともあり得る。この目的のため、「垂れたシート」の検出器が別に備えられ、制御回路と一体化されることもできる。しかし、図示された実施態様では、ＩＲ検出センサの配置は、この目的のための機能も果たしている。図７を参照すると、垂れた材料のシートは、線２００によって表される。このシート２００は、トランスミッタ１２２から検出範囲１３４へのアクティブＩＲ信号の送信を本質的にブロックするような位置にある。その繊維材料自体は、レシーバ１２４に対してＩＲ信号を十分に反射しないため、垂れたシートは有効な検出信号を生成しない。従って、シート２００が供給スロート２４から垂れたままの状態で、検出範囲１３４に物体が置かれても、垂れたシートが取除かれるまで又は検出範囲１３４から排除されるまで、次の供給サイクルを生じさせない。
【００４８】
ディスペンサ１０が配置された場所から所定の範囲内で周辺光の閾値が検出されなければ供給サイクルを起動させないような、制御回路と一体化した周辺光検出器を備えるディスペンサ１０を提供することが望ましいこともあり得る。図示された実施態様は、そのような検出器を含む。図２乃至４を参照すると、前方周辺光フォトセンサ１３８、例えば、従来のフォトセルが基板１１０に取り付けられ、回路用ハウジング１０８の前面の開口を介して外を「見る」。図９を参照すると、フォトセンサ１３８は制御回路と一体化され、フォトセンサ１３８によって周辺光の閾値が検出され続ける限り、その回路が作動されるようにする。特定の状況において、周辺光検出器機能は必要とされないことがある。この理由のため、バイパススイッチ１４０が備えられることもでき、回路用ハウジング１０８の外側からアクセスできるようにし、保守要員は周辺光検出機能を回避するように動作を停止させて良い。図示された実施態様では、ディスペンサのカバー２２を開けると、回路用ハウジングのカバーを介して、押しボタン１４８、１５０、１５２の下方にあるスイッチ１４０が使用できる。
【００４９】
ディスペンサ１０の通常の動作状態において、周辺光検出器１３８は、ディスペンサのカバー２２により前方向を遮蔽される。従って、検出器は、カバー２２の開口から入ってくる周辺光、例えば、供給スロート２４及びカバー２２の側面の開口２６を介して入ってくる周辺光を「見る」。この配置によると、検出器は、公衆トイレ又はその他の施設での通常の行動によって生じ得るような、ディスペンサの前面で生じる周辺光の変動から受ける影響が少ない。
【００５０】
図９は、ディスペンサ１０と共に使用され得る制御回路の実施形態の機能ブロック図である。様々な制御回路及び構成要素の配置が、ディスペンサ１０の所望の機能を達成するため、当業者によって構成され得ることを理解されたい。ここに記載した回路は、適切な回路の一実施形態であることを理解されたい。図９を参照すると、回路はマイクロプロセッサ１６０によって制御される。図９に図示されたマイクロプロセッサ１６０に対する様々な入力及び出力について上述してきた。図に示されたスイッチの一部は、図１０Ａ乃至１０Ｇの回路図に詳細を示す。マイクロプロセッサ１６０の制御機能は、回路図を参照して後述する。
【００５１】
その回路は、２つの回路基板（メインコントロール基板１１０及びセンサ基板１２６）、バッテリボックス８２及びＤＣモータ１００からなる。メインコントロール基板１１０は、バッテリ電源、ＡＣ電源、リレー及びモータ保護、周辺光検出器、近接センサ、発振器及びマイクロプロセッサ、及びスイッチ及びＬＥＤインジケータ、の各機能セクションからなる。各セクションは、図１０Ａ乃至１０Ｇを参照して後述する。図１０Ａ乃至１０Ｇに記載された値は、説明することを目的に示されているだけであり、制御回路が特定の構成要素の配置又は値に制限されるわけではない。当業者は、本発明に基づくディスペンサと共に使用するのに適切な様々な制御回路を案出することが可能である。
【００５２】
バッテリ及びＡＣ電源回路が図１０Ａに示される。直流電力は、バッテリボックス８２のバッテリにより供給される。ＤＣ回路は略５．３ボルトのＶｃｃを生成する。バッテリ電圧が低い状態は、マイクロプロセッサにより検出され、出力低下ＬＥＤ、ＬＤ４（図１０Ｇ）を起動させる。ＡＣ電源部は、電源ジャック１０９からなり、図１０Ａの「ＡＣアダプタ電源」と表示された回路に供給する、略７．５Ｖ乃至略９．０Ｖ（１アンペア）の供給を、外部から（交流電源及び変圧器を経由して）受ける。その回路は、安定化回路、例えば、ＬＭ３１７スタビライザ及びパッシブ部品を含み、電圧Ｖｃｃを生成する。電源ジャックはスイッチを含み、電源ジャックに外部電源を接続すると、ＤＣ電源供給を遮断する。
【００５３】
リレー及びモータ保護回路が図１０Ｂに示される。５Ｖのリレーがモータを作動及び停止させるために使用される。過電流を保護する構成要素が、様々な過電流状態からモータを保護するために含まれ、マイクロプロセッサのＡ／Ｄ変換器と連動して動作する電流検知抵抗Ｒ１３を含む。抵抗Ｒ１３を通過する電流により生成される電圧は、Ａ／Ｄ変換器でデジタル値に変換され、モータへの供給において過電流状態があるか判断するため、設定値と比較される。過電流状態がある場合、リレーは開放され、モータへの電流供給は遮断される。
【００５４】
図１０Ｃは、駆動ローラ３８の回転数を計測するために使用される光学エンコーダセンサＵ３の回路図である。その回転数は、マイクロプロセッサ１６０により使用され、所望の長さのシートを供給するために、モータ１００に電力を供給する期間はどれくらいか決定する。所定長さの繊維材料が供給されると、モータ１００は停止される。所望のシート長さは、スイッチＳ５及びＬＥＤ、ＬＤ３（図１０Ｇ）を用いて、保守技術者により調整され得る。
【００５５】
上述したように、メインロール１２のペーパが少ない状態が、機械的アーム８０により検出されると、メインロール１２の所定の直径にて、アーム８０はスイッチＳ１（図１０Ｇ）を始動させ、ＬＥＤ、ＬＤ３（図１０Ｇ）によってペーパの量が少ないことを表示する。スイッチＳ２を押すことによって、ペーパを手動で進ませて良い。
【００５６】
図１０ＧのスイッチＳ４は、上述したようなカバーセンサ９４と共に配置され、カバー２２が開いた状態であり続ける限り、回路を作動させない。
【００５７】
遅延時間機能も、その回路に備えられて良く、前の供給サイクルから次の供給サイクルまでの規定時間を過ぎるまで、次の供給サイクルが起こらないようにする。例えば、略１秒の供給サイクル間の遅延時間を、マイクロプロセッサにプログラムすることが必要なこともある。この遅延時間は、スイッチＳ６及びＬＥＤ、ＬＤ３（図１０Ｇ）を用いて、保守技術者によって変更され得る。
【００５８】
図１０Ｅは、センサ基板１２６の回路図であり、クロック及びマイクロプロセッサ回路によって決定される周波数でパルスを発生するＩＲトランスミッタＤ７及びＤ８を図示している。ＩＲレシーバＵ４は、送信信号と同一パターンの反射ＩＲエネルギを受信しようとし、受信した場合、モータ１００はリレーＫ１（図１０Ｂ）を経由して起動される。図示された実施態様において、レシーバは、５６ｋＨｚで作動するモノリシックＩＲレシーバである。そのレシーバは、トランスミッタの検出範囲内にある物体から反射した５６ｋＨｚの信号の存在を検出する。トランスミッタＤ７及びＤ８の感度（即ち、範囲）は、スイッチＳ７及びＬＥＤ、ＬＤ３（図１０Ｂ）を用いて、保守技術者によって変更され得る。図１０Ｄは、電流調整回路の回路図であり、３つの異なる検出レベル（高、中及び低）に設定して使用される。
【００５９】
図１０Ｆは、周辺光を検出するためにフォトセルＰＣ１が使用されることを特徴とする周辺光センサの回路図である。十分な光が検出された場合、対応する信号がマイクロプロセッサに送信され、回路は電圧を印加したままである。周辺光がフォトセルＰＣ１の検出閾値を下回った場合、回路は電圧の印加が停止される。周辺光検出機能は、スイッチＳＷ１により回避され得る。
【００６０】
図１０Ｇは、上述したＬＥＤインジケータ、発振器及びマイクロプロセッサセクションの回路図である。ＮＡＮＤ型ＲＣ発振器が、マイクロプロセッサ及び近接センサ回路用のメインクロックとして使用される。発振器は周波数信号を生成し、その周波数信号はマイクロプロセッサにより直接使用されることもでき、又はメインコントローラ（即ち、フラッシュマイクロチップＰＩＣ１６Ｆ８７２のマイクロコントローラ）、近接センサ及び図１０Ｅの回路用の低いクロック周波数まで低くされても良い。図示された実施態様において、クロック周波数は比較的高めの２０ＭＨｚである。コントローラが常時「オン」で、バッテリ電源により電力が供給される場合、バッテリの消耗を考慮すると、そのような周波数でコントローラを稼動させることは望ましくないこともあり得る。バイナリ周波数分割回路が、より低い所望の動作周波数、例えば、略１５６ｋＨｚ以下まで動作周波数を下げるために用いられても良い。動作周波数は、バッテリ寿命の最大化、検出回路に必要な動作周波数、ＡＣ電源の有無等のような、様々な検討材料に基づいて設定され得る。連続的な低い動作周波数は、許容できる水準まで、バッテリの消耗を有意に低減し得る。
【００６１】
別の実施態様において、マイクロプロセッサは、ソフトウェアによる制御の下で、２つの異なる動作周波数で動作して良い。これら周波数は、発振器のクロック速度のバイナリの有理数として、周波数分割器により決定されても良い。例えば、マイクロプロセッサは、連続的な比較的低い周波数で動作して良い。しかしながら、ＩＲパルスの送信が必要なとき、動作速度はソフトウェアによる制御の下で加速され、信号処理及び、モータ及びタイミング回路の始動を可能にする。従って、動作速度は、近接センサＤ７及びＤ８用の所望のＩＲパルス周波数の関数として変化し得る。
【００６２】
ここで開示されたディスペンサの機能、特にディスペンサの機構及び制御回路の特性に様々な変更及び変化を、本発明の範囲及び精神から逸脱することなく加えることができることは、当業者には明らかであろう。本発明は、そのような変化を全て含むものである。
【図面の簡単な説明】
【００６３】
【図１】本発明に基づく電子式ハンズフリーディスペンサの実施態様の斜視図である。
【図２】図１のディスペンサのフロントカバーを開いた状態の斜視図である。
【図３】図１のディスペンサから取り外されたモジュールユニットの斜視図である。
【図４】本発明に基づくディスペンサに使用され得るモジュールユニットの実施態様の構成要素の組立図である。
【図５】ハウジングカバーセンサ及び駆動ローラが回転させる駆動ローラに取り付けられた反射ホイール部品を特に示すモジュールの一部の側面斜視図である。
【図６Ａ】スロートアセンブリ内部に収容されるセンサのトランスミッタ及びレシーバを特に示すスロートアセンブリの斜視図である。
【図６Ｂ】スロートアセンブリ内部に収容されるセンサのトランスミッタ及びレシーバを特に示すスロートアセンブリの斜視図である。
【図６Ｃ】スロートアセンブリ内部に収容されるセンサのトランスミッタ及びレシーバを特に示すスロートアセンブリの斜視図である。
【図７】ディスペンサ下方の検出範囲の特徴を示す図である。
【図８】ディスペンサの前方部の特定の構成要素の平面を特に示す図１のディスペンサの側面斜視図である。
【図９】本発明に基づくディスペンサと共に使用され得る制御回路の実施形態の特徴を示すブロック図である。
【図１０Ａ】本発明に基づくディスペンサと共に使用され得る典型的な制御回路の特定の構成要素を示すブロック回路図である。
【図１０Ｂ】本発明に基づくディスペンサと共に使用され得る典型的な制御回路の特定の構成要素を示すブロック回路図である。
【図１０Ｃ】本発明に基づくディスペンサと共に使用され得る典型的な制御回路の特定の構成要素を示すブロック回路図である。
【図１０Ｄ】本発明に基づくディスペンサと共に使用され得る典型的な制御回路の特定の構成要素を示すブロック回路図である。
【図１０Ｅ】本発明に基づくディスペンサと共に使用され得る典型的な制御回路の特定の構成要素を示すブロック回路図である。
【図１０Ｆ】本発明に基づくディスペンサと共に使用され得る典型的な制御回路の特定の構成要素を示すブロック回路図である。
【図１０Ｇ】本発明に基づくディスペンサと共に使用され得る典型的な制御回路の特定の構成要素を示すブロック回路図である。
【図１】
2008521549.tif 000003
【図２】
2008521549.tif 000004
【図３】
2008521549.tif 000005
【図４】
2008521549.tif 000006
【図５】
2008521549.tif 000007
【図６Ａ】
2008521549.tif 000008
【図６Ｂ】
2008521549.tif 000009
【図６Ｃ】
2008521549.tif 000010
【図７】
2008521549.tif 000011
【図８】
2008521549.tif 000012
【図９】
2008521549.tif 000013
【図１０Ａ】
2008521549.tif 000014
【図１０Ｂ】
2008521549.tif 000015
【図１０Ｃ】
2008521549.tif 000016
【図１０Ｄ】
2008521549.tif 000017
【図１０Ｅ】
2008521549.tif 000018
【図１０Ｆ】
2008521549.tif 000019
【図１０Ｇ】
2008521549.tif 000020
【国際調査報告】
2008521549.tif 000021
2008521549.tif 000022
2008521549.tif 000023